(57)【要約】      （修正有）【課題】便利かつスピーディーに引っ張り出して使用でき、構造使用の利便性が向上される杖の伸縮構造を提供する。【解決手段】杖の伸縮構造は、固定管体１０、第一伸縮管２０、第二伸縮管３０と第三伸縮管４０が順番にスライドして組み立てられる。第一伸縮管の弾性部材で付勢された第一位置決め玉２５を押すだけで、第一伸縮管は固定管体に収納でき、第二、三伸縮管は第二、三位置決め玉３５、４４によって固定スリーブ１３と第一スリーブ２７の位置決め突起部と合わせて設置される。力を加えて収納する時に自動的に第二、三位置決め玉が押されて位置決め状態から脱離して、順番に第二、三伸縮管が内縮し収納される。反対に、引っ張り出して使用する時、第一、二、三位置決め玉の連結によって、第一、二、三伸縮管は順番に連動されて引っ張り出される。【選択図】図２
0003222796.tif 000002
【実用新案登録請求の範囲】
【請求項１】
固定管体と、第一伸縮管と、第二伸縮管と、第三伸縮管とを含む杖の伸縮構造であって、
上記固定管体は、中空管体であり、また管壁に少なくとも一つの位置決め孔が設けられ、上記固定管体の頂端に杖グリップが組み立てられ、末端に固定スリーブが嵌められ、上記固定スリーブの内壁面に位置決め突起部が設けられ、上記位置決め突起部の底側に斜めガイド面が形成され、
上記第一伸縮管は、下より上へ上記固定管体内に組み入れられ、上記第一伸縮管の管壁に第一位置限定孔と上記固定管体の位置決め孔に対応する第一穿設孔が設けられ、また上記第一伸縮管の頂端は第一管栓に組み入れられ、上記第一管栓の側辺に組み合わせ溝が形成され、上記組み合わせ溝は弾性部材に合わせて第一位置決め玉と組み立てられ、上記第一位置決め玉の前端に位置決め部があり、さらに上記第一位置決め玉の位置決め部は第一穿設孔より貫き出され、上記第一伸縮管の末端は第一スリーブが嵌められ、上記第一スリーブの内壁面に位置決め突起部が設けられ、また上記位置決め突起部の底側に斜めガイド面が形成され、
上記第二伸縮管は、下から上へ上記第一伸縮管内に組み入れられ、上記第二伸縮管の管壁に第二位置限定孔と上記第一位置限定孔に対応する第二穿設孔が設けられ、また上記第二伸縮管の頂端は第二管栓が組み立てられ、上記第二管栓の側辺に組み合わせ溝が形成され、上記組み合わせ溝は弾性部材に合わせて第二位置決め玉と組み立てられ、上記第二位置決め玉の前端に位置決め部があり、さらに上記第二位置決め玉の位置決め部は第二穿設孔より貫き出され、また上記第二伸縮管の末端は第二スリーブが嵌められ、
上記第三伸縮管は、下から上へ上記第二伸縮管内に組み入れられ、上記第三伸縮管の管壁は上記第二位置限定孔に対応する第三穿設孔が設けられ、また上記第三伸縮管の頂端は第三管栓が組み立てられ、上記第三管栓の側辺に組み合わせ溝が形成され、上記組み合わせ溝は弾性部材に合わせて第三位置決め玉と組み立てられ、上記第三位置決め玉の前端に位置決め部があり、さらに上記第三位置決め玉の位置決め部は第三穿設孔より貫き出され、また上記第三伸縮管の末端は当てベースが嵌められることを特徴とする杖の伸縮構造。
【請求項２】
上記第一位置決め玉と、上記第二位置決め玉と、上記第三位置決め玉とはそれぞれ位置限定部分があり、上記位置限定部分の外径は該位置決め部分より大きいことを特徴とする請求項１の杖の伸縮構造。
【請求項３】
上記第一管栓と、上記第二管栓と、上記第三管栓との組み合わせ溝はそれぞれ正方形溝体が形成され、上記第一位置決め玉と、上記第二位置決め玉と、上記第三位置決め玉との位置限定部分は上記組み合わせ溝に対応して四角柱状が形成されることで、上記第一、二、三位置決め柱が回転せずこれらの組み合わせ溝内に制限されることを特徴とする請求項１の杖の伸縮構造。
【請求項４】
上記第二位置決め玉と第三位置決め玉との位置決め部はそれぞれ上端面に円弧面が形成され、下端面に平面が形成されることを特徴とする請求項１の杖の伸縮構造。
【請求項５】
上記第一伸縮管と、上記第二伸縮管と、上記第三伸縮管とはそれぞれピン挿し込み孔が設けられ、上記第一管栓と、上記第二管栓と、上記第三管栓とはそれぞれ上述ピン挿し込み孔に対応して位置決め溝が設けられ、さらに順番に第一挿し込みピンと、第二差し込みピンと、第三挿し込みピンとを上記ピン挿し込み孔によって上記第一管栓と、上記第二管栓と、上記第三管栓との位置決め溝内に挿し込まれることで、上記第一管栓と、上記第二管栓と、上記第三管栓とが合致固定されることを特徴とする請求項１の杖の伸縮構造。
【請求項６】
上記杖のグリップには管栓部があり、また上記管栓部によって上記固定管体の頂端に固設されることを特徴とする請求項１の杖の伸縮構造。
【請求項７】
上記管栓部の側辺に掛フックリブ板が設けられることを特徴とする請求項１の杖の伸縮構造。
【考案の詳細な説明】
【技術分野】
【０００１】
本考案は杖に関し、特に使用者が伸縮調整できる杖の伸縮構造に関する。
【背景技術】
【０００２】
従来の杖は基本的にグリップと杖体を含み、グリップと杖体は互いに連結固定され、杖体の長さが固定されているため、使用者の需要によって随時に伸び縮みできない。このような長さが固定されている従来の杖は身長が異なる使用者の需要に応じられない。一方、長さが固定されている従来の杖は任意に長さを変えられないまたは縮められないため、収納または携帯において不便である。
従って、本考案者は長年にわたって関係商品の製造開発と設計をした経験により、上述の目標について、詳しく設計をして慎重に評価した結果、実用性に満ちた本考案を得た。
【考案の概要】
【考案が解決しようとする課題】
【０００３】
従来技術に存在する上述の欠点について解決し、杖の伸縮構造を提供する。
【課題を解決するための手段】
【０００４】
本考案の杖の伸縮構造は、固定管体、第一伸縮管、第二伸縮管と第三伸縮管を含む。該固定管体は中空管体であり、また管壁に少なくとも一つの位置決め孔が設けられる。該固定管体の頂端に杖グリップが組み立てられ、末端に固定スリーブが嵌められ、該固定スリーブの内壁面に位置決め突起部が設けられ、該位置決め突起部の底側に斜めガイド面が形成される。該第一伸縮管は下より上へ該固定管体内に組み入れられ、該第一伸縮管の管壁に第一位置限定孔と該固定管体の位置決め孔に対応する第一穿設孔が設けられ、また該第一伸縮管の頂端は第一管栓に組み入れられる。該第一管栓の側辺に組み合わせ溝が形成され、該組み合わせ溝は弾性部材に合わせて第一位置決め玉と組み立てられ、該第一位置決め玉の前端に位置決め部があり、さらに該第一位置決め玉の位置決め部は第一穿設孔より貫き出される。該第一伸縮管の末端は第一スリーブが嵌められ、該第一スリーブの内壁面に位置決め突起部が設けられ、また該位置決め突起部の底側に斜めガイド面が形成される。第二伸縮管は下から上へ該第一伸縮管内に組み入れられ、該第二伸縮管の管壁に第二位置限定孔と該第一位置限定孔に対応する第二穿設孔が設けられる。また該第二伸縮管の頂端は第二管栓が組み立てられ、該第二管栓の側辺に組み合わせ溝が形成され、該組み合わせ溝は弾性部材に合わせて第二位置決め玉と組み立てられ、該第二位置決め玉の前端に位置決め部があり、さらに該第二位置決め玉の位置決め部は第二穿設孔より貫き出され、また該第二伸縮管の末端は第二スリーブが嵌められる。該第三伸縮管は下から上へ該第二伸縮管内に組み入れられ、該第三伸縮管の管壁は該第二位置限定孔に対応する第三穿設孔が設けられる。また該第三伸縮管の頂端は第三管栓が組み立てられ、該第三管栓の側辺に組み合わせ溝が形成され、該組み合わせ溝は弾性部材に合わせて第三位置決め玉と組み立てられ、該第三位置決め玉の前端に位置決め部があり、さらに該第三位置決め玉の位置決め部は第三穿設孔より貫き出され、また該第三伸縮管の末端は当てベースが嵌められる。
【０００５】
該第一位置決め玉、第二位置決め玉と第三位置決め玉はそれぞれ位置限定部分があり、該位置限定部分の外径は該位置決め部分より大きい。
【０００６】
該第一管栓、第二管栓と第三管栓の組み合わせ溝はそれぞれ正方形溝体が形成され、該第一位置決め玉、第二位置決め玉と第三位置決め玉の位置限定部分は該組み合わせ溝に対応して四角柱状が形成されることで、該第一、二、三位置決め柱が回転せずこれらの組み合わせ溝内に制限される。
【０００７】
該第二位置決め玉と第三位置決め玉の位置決め部はそれぞれ上端面に円弧面が形成され、下端面に平面が形成される。
【０００８】
該第一伸縮管、第二伸縮管と第三伸縮管はそれぞれピン挿し込み孔が設けられ、該第一管栓、第二管栓と第三管栓はそれぞれ上述ピン挿し込み孔に対応して位置決め溝が設けられ、さらに順番に第一挿し込みピン、第二差し込みピンと第三挿し込みピンを上述ピン挿し込み孔によって該第一管栓、第二管栓と第三管栓の位置決め溝内に挿し込まれることで、該第一管栓、第二管栓と第三管栓が合致固定される。
【０００９】
該杖のグリップには管栓部があり、また該管栓部によって該固定管体の頂端に固設される。
【００１０】
該管栓部の側辺に掛フックリブ板が設けられる。
【００１１】
従来技術の効果と比べると、該杖伸縮構造は伸縮操作する時、第一伸縮管の第一位置決め玉を押すだけで、該第一伸縮管は該固定管体に収納できた後、該第二、三伸縮管は該第二、三位置決め玉によって該固定スリーブと第一スリーブの位置決め突起部と合わせて設置される。力を加えて収納する時に自動的に第二、三位置決め玉が押されて位置決め状態から脱離できることで、順番に該第二、三伸縮管が内縮されて収納され、構造が内縮収納する利便性が大幅に向上される。また第一伸縮管の第一位置限定孔と第二伸縮管の第二位置限定孔は位置決め突起部によってロックかつ位置決めされるため、収納かつ位置決めの状態を確実に果たされると同時に緩んで滑り出してしまう状況が避けられる。
【００１２】
反対に、引っ張り出して使用する時、該第一、二、三位置決め玉の連結によって、該第一、二、三伸縮管は順番に連動されて引っ張り出されるため、便利かつスピーディーに引っ張り出して使用でき、構造使用の利便性が向上され、使用しやすいために実用性も増進される。
【図面の簡単な説明】
【００１３】
【図１】図１は、本考案に係る杖の伸縮構造を示す立体図である。
【図２】図２は、本考案に係る杖の伸縮構造を示す分解図である。
【図３】図３は、本考案の各伸縮棒と各管栓の分解図である。
【図４】図４は、本考案に係る杖の伸縮構造を示す組合せ断面図である。
【図５】図５は、本考案は図４に対応する局部拡大を示す図（一）である。
【図６】図６は、本考案は図４に対応する局部拡大を示す図（二）である。
【図７】図７は、本考案の別の角度の組合せ断面示す図である。
【図８】図８は、本考案は図７に対応する局部拡大を示す図（一）である。
【図９】図９は、本考案は図７に対応する局部拡大を示す図（二）である。
【図１０】図１０は、本考案は引っ張り出されて操作を示す図である。
【図１１】図１１は、本考案は引っ張り出された状態の断面図である。
【図１２】図１２は、本考案は引っ張り出された状態の別の角度の断面図である。
【図１３】図１３は、本考案は引っ張り出された状態の立体図である。
【図１４】図１４は、本考案の収納操作を示す図及び局部拡大を示す図（一）である。
【図１５】図１５は、本考案の収納操作を示す図及び局部拡大を示す図（二）である。
【図１６】図１６は、本考案の収納操作を示す図及び局部拡大を示す図（三）である。
【考案を実施するための形態】
【００１４】
まず、図１、図２、図３を参照されたい。本考案の杖の伸縮構造は、固定管体１０、第一伸縮管２０、第二伸縮管３０と第三伸縮管４０を含む。
【００１５】
該固定管体１０は中空管体であり、また管壁に少なくとも一つの位置決め孔１１が設けられる。該固定管体１０の頂端に杖グリップ１２が組み立てられ、該杖のグリップ１２には管栓部１２１があり、また該管栓部１２１によって該固定管体１０の頂端に固設され、該管栓部１２１の側辺に掛フックリブ板１２２が設けられる。該固定管体１０の末端に固定スリーブ１３が嵌められ、該固定スリーブ１３の内壁面に位置決め突起部１３１が設けられ、該位置決め突起部１３１の底側に斜めガイド面１３２が形成される。
【００１６】
該第一伸縮管２０は下より上へ該固定管体１０内に組み入れられ、該管壁に第一位置限定孔２１と該固定管体１０の位置決め孔１１に対応する第一穿設孔２２とピン挿し込み孔２３が設けられ、また該第一伸縮管２０の頂端は第一管栓２４に組み入れられる。該第一管栓２４の側辺に組み合わせ溝２４１と位置決め溝２４２が形成され、該組み合わせ溝２４１は正方形溝体であり、それに弾性部材２４３に合わせて第一位置決め玉２５と組み立てられる。該第一位置決め玉２５は位置限定部２５１と該位置限定部２５１の前端に位置する位置決め部２５２があり、該位置限定部２５１と該位置決め部２５２はそれぞれ四角柱状に呈し、また該位置限定部２５１の外径は該位置決め部２５２より大きく、また該位置限定部２５１は回転せずこれらの組み合わせ溝２４１内に制限される。該第一位置決め玉２５の位置決め部２５２は第一穿設孔２２より貫き出され、最後は第一挿し込みピン２６を該ピン挿し込み孔２３によって該位置決め溝２４２内に挿し込まれることで、該第一管栓２４が合致固定される。該第一伸縮管２０の末端は第一スリーブ２７が嵌められ、該第一スリーブ２７の内壁面に位置決め突起部２７１が設けられ、また該位置決め突起部２７１の底側に斜めガイド面２７２が形成される。
【００１７】
該第二伸縮管３０は下から上へ該第一伸縮管２０内に組み入れられ、該管壁に第二位置限定孔３１、該第一位置限定孔２１に対応する第二穿設孔３２とピン挿し込み孔３３が設けられる。また該第二伸縮管３０の頂端は第二管栓３４が組み立てられ、該第二管栓３４の側辺に組み合わせ溝３４１と位置決め溝３４２が形成され、該組み合わせ溝３４１は正方形溝体であり、それに弾性部材３４３に合わせて第二位置決め玉３５と組み立てられる。該第二位置決め玉３５は位置限定部３５１と該位置限定部３５１の前端に位置する位置決め部３５２があり、該位置限定部３５１の外径は該位置決め部３５２より大きく、また該位置限定部３５１は該組み合わせ溝３４１に対応して四角柱状に呈すことで、該位置限定部３５１は回転されずこれらの組み合わせ溝３４１内に制限され、また該位置決め部３５２の上端面に円弧面３５３が形成され、下端面に平面３５４が形成される。さらに該第二位置決め玉３５の位置決め部３５２は第二穿設孔３２より貫き出され、最後は第二挿し込みピン３６を該ピン挿し込み孔３３によって該位置決め溝３４２内に挿し込まれることで、該第二管栓３４が合致固定され、また第二伸縮管３０の末端に第二スリーブ３７が嵌められる。
【００１８】
該第三伸縮管４０は下から上へ該第二伸縮管３０内に組み入れられ、該管壁は該第二位置限定孔３１に対応する第三穿設孔４１とピン挿し込み孔４２が設けられる。該第三伸縮管４０の頂端は第三管栓４３が組み立てられ、該第三管栓４３の側辺に組み合わせ溝４３１と位置決め溝４３２が形成され、該組み合わせ溝４３１正方形溝体であり、それに弾性部材４３３に合わせて第三位置決め玉４４と組み立てられる。該第三位置決め玉４４は位置限定部４４１と該位置限定部４４１の前端に位置する位置決め部４４２があり、該位置限定部４４１の外径は該位置決め部４４２より大きく、また該位置限定部４４１は該組み合わせ溝４３１に対応して四角柱状に呈すことで、該位置限定部４４１は回転されずこれらの組み合わせ溝４３１内に制限され、また該位置決め部４４２の上端面に円弧面４４３が形成され、下端面に平面４４４が形成される。さらに該第三位置決め玉４４の位置決め部４４２は第三穿設孔４１より貫き出され、最後は第三挿し込みピン４５を該ピン挿し込み孔４２によって該位置決め溝４３２内に挿し込まれることで、該第三管栓４３が合致固定され、また第三伸縮管４０の末端に当てベース４６が嵌められる。
【００１９】
その構造の組み立ては引き続き図２、図３合わせて図４、図５、図６及び図７、図８を参照されたい。該固定管体１０、第一伸縮管２０、第二伸縮管３０及び第三伸縮管４０は順番にスライドして組み立てられ、ここで、該第三伸縮管４０は先に頂端に該第三管栓４３が組み立てられ、また該第三位置決め玉４４が該第三穿設孔４１の外に設けられ、さらにピン挿し込み孔４２より該第三挿し込みピン４５を挿し込んで、該第三管栓４３を該第三伸縮管４０の頂端に合致固定させることで、該第三伸縮管４０を下より上へ該第二伸縮管３０内に組み入れられ、さらに該第三位置決め玉４４が第二伸縮管３０の内壁による押し込みによって該第三穿設孔４１に内縮される。また該第三伸縮管４０の末端は該第二伸縮管３０の末端の外に突設される。該第二伸縮管３０の頂端は再び該第二管栓３４を組み立て、該第二位置決め玉３５を第二穿設孔３２の外に突設させ、再び該ピン挿し込み孔３３より該第二挿し込みピン３６を挿し込んで、該第二管栓３４を第二伸縮管３０の頂端に合致固定させ、該第二、三伸縮管３０、４０の組み立てを完成させた後、該第二伸縮管３０を再び下より上へ該第一伸縮管２０内に組み入れられる。また該第二位置決め玉３５が該第一伸縮管２０の内壁による押し込みによって該第二穿設孔３２に内縮されると同時に、該第二伸縮管３０の末端は該第一伸縮管２０の末端の外に突設され、この時、再び該第一管栓２４を該第一伸縮管２０の頂端に組み立てさせ、該第一、二伸縮管２０、３０の組み立てを完成させた後、該第一伸縮管２０を下より上へ該固定管体１０内に組み入れられ、また該第一位置決め玉２５は該固定管体１０の内壁による押し込みによって該第一穿設孔２２に内縮される。該第一伸縮管２０の末端は該固定管体１０の末端に突設されることで、順番に該第三、二、一伸縮管４０、３０、２０及び固定管体１０をスライドして嵌め合わせて連結される。該固定管体１０の末端には固定スリーブ１３が嵌められ、該第一伸縮管２０の末端には第一スリーブ２７が嵌められ、該第二伸縮管３０の末端には第二スリーブ３７が嵌められ、第三伸縮管４０の末端には当てベース４６が設けられる。さらにこれらの固定スリーブ１３によって該第一、二、三スリーブ２７、３７、４６が互いに当てて位置限定されることで、第一、二、三伸縮管２０、３０、４０の末端が対応する固定管体１０、第一伸縮管２０と第二伸縮管３０内に内縮されることが防げられる。最後に杖グリップ１２は管栓部１２１によって固定管体１０の頂端に設けさせると、杖構造が完成される。
【００２０】
構造における実際に使用する状態は図９より図１３を参照されたい。使用者が第三伸縮管４０に力を加えて引っ張り出す時、該第三伸縮管４０は制限されないために簡単に引っ張り出せて、引っ張り出す過程において第三位置決め玉４４の位置決め部４４２を第三穿設孔４１より貫き出して第二伸縮管３０の第二位置限定孔３１に合致されて位置決めされる。該第三位置決め玉４４の下端面に平面４４４が形成され、該第二伸縮管３０の第二位置限定孔３１の端縁に確実に当て、該第三伸縮管４０がさらに引っ張り出されて長さの制限を達すことが避けられると同時に、該第三伸縮管４０と該第二伸縮管３０と連結されるため、該第二伸縮管３０が連動されて連れ出され、この時さらに継続的に力を加えて引っ張り出す時、該第二伸縮管３０は第一伸縮管２０に沿って外へ引っ張り出され、引っ張り出す過程において第二位置決め玉３５の位置決め部３５２を第二穿設孔３２より貫き出して第一伸縮管２０の第一位置限定孔２１に合致されて位置決めされる。該第二位置決め玉３５の下端面に平面３５４が形成され、該第一伸縮管２０の第一位置限定孔２１の端縁に確実に当て、該第二伸縮管３０がさらに引っ張り出されて長さの制限に達することが避けられると同時に、該第二伸縮管３０と該第一伸縮管２０と連結されるため、該第一伸縮管２０が連動されて連れ出され、この時さらに継続的に力を加えて引っ張り出す時、該第一伸縮管２０は該固定管体１０より引っ張り出され、引っ張り出す過程において第一位置決め玉２５の位置決め部２５２を第一穿設孔２２より貫き出して固定管体１０の位置決め孔１１に合致固定されることで、順番に該第一、二、三伸縮管２０、３０、４０を引っ張り出して位置決めさせ、使用者が持ち支えることが提供される。該第一位置決め玉２５の位置決め部２５２は四角柱状に呈すため、該固定管体１０の位置決め孔１１と四周辺の当て位置限定が形成され、該第一伸縮管２０がさらに引っ張り出されて長さの制限に達することが避けられ、一方、該固定管体１０は力を加えられて当て支えることで該第一位置決め玉２５を押し込むことが避けられることで、使用時に該第一伸縮管２０は該固定管体１０内に内縮する心配が解消され、構造使用の安全性が大幅に向上される。
【００２１】
反対に、該杖構造は使用後に縮ませて収納したい時、引き続き図１４より図１６を参照されたい。使用者は第三伸縮管４０に力を加えて上へ収納でき、または第三伸縮管４０を地面に着かせて該固定管体１０に力を加えて下へ収納できる。まず、先に第一位置決め玉２５を押して、順番に該位置決め孔１１と該第一穿設孔２２に内縮させ、該第一伸縮管２０と該固定管体１０の間を該第一位置決め玉２５の位置決めより脱離してスライドして収納できる。該第一伸縮管２０が該固定管体１０に内縮する時、同時該第二伸縮管３０を連動して該固定管体１０方向へと位置移動し、この時該第一位置限定孔２１の外に突設される第二位置決め孔３５は徐々に該固定スリーブ１３に接近し、該位置決め部３５２の円弧面３５３によって該固定スリーブ１３の斜めガイド面１３２と位置決め突起部１３１と当てて押さえることを受けて、該第二位置決め玉３５を押し込んで順番に第一位置限定孔２１と第二穿設孔３２に内縮され、該第二伸縮管３０と第一伸縮管２０を第二位置決め玉３５の位置決めより脱離してスライドして収納できると同時に、該位置決め突起部１３１によって該第一位置限定孔２１に嵌められて位置決めされる（図６に示す）。該第二伸縮管３０は該第一伸縮管２０に内縮する時、該第三伸縮管４０は連動されて第一伸縮管２０の方向へと位置移動し、この時、第二位置限定孔３１に突設される第三位置決め玉４４は徐々に該第一スリーブ２７に接近し、また該第一スリーブ２７の斜めガイド面２７２と位置決め突起部２７１によって当てて押さえられることで、該第三位置決め玉４４を押し込んで順番に第二位置限定孔３１と第三穿設孔４１に内縮され、該第三伸縮管４０と該第二伸縮管３０が第三位置決め玉４４の位置決めより脱離して内へ収納される。該位置決め突起部２７１は弾け返した後、第二位置限定孔３１に嵌められて位置決めされることで（図９に示す）、該第一、二、三伸縮管２０、３０、４０が内縮されて収納でき、構造の体積を大幅に減少でき、使用者が収納携帯しやすい。
【００２２】
上述の具体的な実施例の構造によって、以下の効果が得られる。
【００２３】
該杖伸縮構造は伸縮操作する時、第一伸縮管２０の第一位置決め玉２５を押すだけで、該第一伸縮管２０は該固定管体１０に収納できた後、該第二、三伸縮管３０、４０は該第二、三位置決め玉３５、４４によって該固定スリーブ１３と第一スリーブ２７の位置決め突起部１３１、２７１と合わせて設置される。力を加えて収納する時に自動的に第二、三位置決め玉３５、４４が押されて位置決め状態から脱離できることで、順番に該第二、三伸縮管３０、４０が内縮されて収納され、構造が内縮収納する利便性が大幅に向上される。また第一伸縮管２０の第一位置限定孔２１と第二伸縮管３０の第二位置限定孔３１は位置決め突起部１３１、２７１によってロックかつ位置決めされるため、収納かつ位置決めの状態を確実に果たされると同時に緩んで滑り出してしまう状況が避けられる。
反対に、引っ張り出して使用する時、該第一、二、三位置決め玉２５、３５、４４の連結によって、該第一、二、三伸縮管２０、３０、４０は順番に連動されて引っ張り出されるため、便利かつスピーディーに引っ張り出して使用でき、構造使用の利便性が向上され、使用しやすいために実用性も増進される。
【００２４】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２５】
１０        固定管体
１１        位置決め孔
１２        杖グリップ
１２１      管栓部
１２２      掛フックリブ板
１３        固定スリーブ
１３１      位置決め突起部
１３２      斜めガイド面
２０        第一伸縮管
２１        第一位置限定孔
２２        第一穿設孔
２３        ピン挿し込み孔
２４        第一管栓
２４１      組み合わせ溝
２４２      位置決め溝
２４３      弾性部材
２５        第一位置決め玉
２５１      位置限定部
２５２      位置決め部
２６        第一挿し込みピン
２７        第一スリーブ
２７１      位置決め突起部
２７２      斜めガイド面
３０        第二伸縮管
３１        第二位置限定孔
３２        第二穿設孔
３３        ピン挿し込み孔
３４        第二管栓
３４１      組み合わせ溝
３４２      位置決め溝
３４３      弾性部材
３５        第二位置決め玉
３５１      位置限定部
３５２      位置決め部
３５３      円弧面
３５４      平面
３６        第二挿し込みピン
３７        第二スリーブ
４０        第三伸縮管
４１        第三穿設孔
４２        ピン挿し込み孔
４３        第三管栓
４３１      組み合わせ溝
４３２      位置決め溝
４３３      弾性部材
４４        第三位置決め玉
４４１      位置限定部
４４２      位置決め部
４４３      円弧面
４４４      平面
４５        第三挿し込みピン
４６        当てベース
【図１】
0003222796.tif 000003
【図２】
0003222796.tif 000004
【図３】
0003222796.tif 000005
【図４】
0003222796.tif 000006
【図５】
0003222796.tif 000007
【図６】
0003222796.tif 000008
【図７】
0003222796.tif 000009
【図８】
0003222796.tif 000010
【図９】
0003222796.tif 000011
【図１０】
0003222796.tif 000012
【図１１】
0003222796.tif 000013
【図１２】
0003222796.tif 000014
【図１３】
0003222796.tif 000015
【図１４】
0003222796.tif 000016
【図１５】
0003222796.tif 000017
【図１６】
0003222796.tif 000018
【手続補正書】
【提出日】令和1年7月1日(2019.7.1)
【手続補正１】
【補正対象書類名】明細書
【補正対象項目名】全文
【補正方法】変更
【補正の内容】
【考案の詳細な説明】
【技術分野】
【０００１】
本考案は杖に関し、特に使用者が伸縮調整できる杖の伸縮構造に関する。
【背景技術】
【０００２】
従来の杖は基本的にグリップと杖体を含み、グリップと杖体は互いに連結固定され、杖体の長さが固定されているため、使用者の需要によって随時に伸び縮みできない。このような長さが固定されている従来の杖は身長が異なる使用者の需要に応じられない。一方、長さが固定されている従来の杖は任意に長さを変えられないまたは縮められないため、収納または携帯において不便である。
従って、本考案者は長年にわたって関係商品の製造開発と設計をした経験により、上述の目標について、詳しく設計をして慎重に評価した結果、実用性に満ちた本考案を得た。
【考案の概要】
【考案が解決しようとする課題】
【０００３】
従来技術に存在する上述の欠点について解決し、杖の伸縮構造を提供する。
【課題を解決するための手段】
【０００４】
本考案の杖の伸縮構造は、固定管体、第一伸縮管、第二伸縮管と第三伸縮管を含む。該固定管体は中空管体であり、また管壁に少なくとも一つの位置決め孔が設けられる。該固定管体の頂端に杖グリップが組み立てられ、末端に固定スリーブが嵌められ、該固定スリーブの内壁面に位置決め突起部が設けられ、該位置決め突起部の底側に斜めガイド面が形成される。該第一伸縮管は下より上へ該固定管体内に組み入れられ、該第一伸縮管の管壁に第一位置限定孔と該固定管体の位置決め孔に対応する第一穿設孔が設けられ、また該第一伸縮管の頂端は第一管栓に組み入れられる。該第一管栓の側辺に組み合わせ溝が形成され、該組み合わせ溝は弾性部材に合わせて第一位置決め玉と組み立てられ、該第一位置決め玉の前端に位置決め部があり、さらに該第一位置決め玉の位置決め部は第一穿設孔より貫き出される。該第一伸縮管の末端は第一スリーブが嵌められ、該第一スリーブの内壁面に位置決め突起部が設けられ、また該位置決め突起部の底側に斜めガイド面が形成される。第二伸縮管は下から上へ該第一伸縮管内に組み入れられ、該第二伸縮管の管壁に第二位置限定孔と該第一位置限定孔に対応する第二穿設孔が設けられる。また該第二伸縮管の頂端は第二管栓が組み立てられ、該第二管栓の側辺に組み合わせ溝が形成され、該組み合わせ溝は弾性部材に合わせて第二位置決め玉と組み立てられ、該第二位置決め玉の前端に位置決め部があり、さらに該第二位置決め玉の位置決め部は第二穿設孔より貫き出され、また該第二伸縮管の末端は第二スリーブが嵌められる。該第三伸縮管は下から上へ該第二伸縮管内に組み入れられ、該第三伸縮管の管壁は該第二位置限定孔に対応する第三穿設孔が設けられる。また該第三伸縮管の頂端は第三管栓が組み立てられ、該第三管栓の側辺に組み合わせ溝が形成され、該組み合わせ溝は弾性部材に合わせて第三位置決め玉と組み立てられ、該第三位置決め玉の前端に位置決め部があり、さらに該第三位置決め玉の位置決め部は第三穿設孔より貫き出され、また該第三伸縮管の末端は当てベースが嵌められる。
【０００５】
該第一位置決め玉、第二位置決め玉と第三位置決め玉はそれぞれ位置限定部分があり、該位置限定部分の外径は該位置決め部分より大きい。
【０００６】
該第一管栓、第二管栓と第三管栓の組み合わせ溝はそれぞれ正方形溝体が形成され、該第一位置決め玉、第二位置決め玉と第三位置決め玉の位置限定部分は該組み合わせ溝に対応して四角柱状が形成されることで、該第一位置決め玉、第二位置決め玉、第三位置決め玉が回転せずこれらの組み合わせ溝内に制限される。
【０００７】
該第二位置決め玉と第三位置決め玉の位置決め部はそれぞれ上端面に円弧面が形成され、下端面に平面が形成される。
【０００８】
該第一伸縮管、第二伸縮管と第三伸縮管はそれぞれピン挿し込み孔が設けられ、該第一管栓、第二管栓と第三管栓はそれぞれ上述ピン挿し込み孔に対応して位置決め溝が設けられ、さらに順番に第一挿し込みピン、第二差し込みピンと第三挿し込みピンを上述ピン挿し込み孔によって該第一管栓、第二管栓と第三管栓の位置決め溝内に挿し込まれることで、該第一管栓、第二管栓と第三管栓が合致固定される。
【０００９】
該杖のグリップには管栓部があり、また該管栓部によって該固定管体の頂端に固設される。
【００１０】
該管栓部の側辺に掛フックリブ板が設けられる。
【００１１】
従来技術の効果と比べると、該杖伸縮構造は伸縮操作する時、第一伸縮管の第一位置決め玉を押すだけで、該第一伸縮管は該固定管体に収納できた後、該第二、三伸縮管は該第二、三位置決め玉によって該固定スリーブと第一スリーブの位置決め突起部と合わせて設置される。力を加えて収納する時に自動的に第二、三位置決め玉が押されて位置決め状態から脱離できることで、順番に該第二、三伸縮管が内縮されて収納され、構造が内縮収納する利便性が大幅に向上される。また第一伸縮管の第一位置限定孔と第二伸縮管の第二位置限定孔は位置決め突起部によってロックかつ位置決めされるため、収納かつ位置決めの状態を確実に果たされると同時に緩んで滑り出してしまう状況が避けられる。
【００１２】
反対に、引っ張り出して使用する時、該第一、二、三位置決め玉の連結によって、該第一、二、三伸縮管は順番に連動されて引っ張り出されるため、便利かつスピーディーに引っ張り出して使用でき、構造使用の利便性が向上され、使用しやすいために実用性も増進される。
【図面の簡単な説明】
【００１３】
【図１】図１は、本考案に係る杖の伸縮構造を示す立体図である。
【図２】図２は、本考案に係る杖の伸縮構造を示す分解図である。
【図３】図３は、本考案の各伸縮棒と各管栓の分解図である。
【図４】図４は、本考案に係る杖の伸縮構造を示す組合せ断面図である。
【図５】図５は、本考案は図４に対応する局部拡大を示す図（一）である。
【図６】図６は、本考案は図４に対応する局部拡大を示す図（二）である。
【図７】図７は、本考案の別の角度の組合せ断面示す図である。
【図８】図８は、本考案は図７に対応する局部拡大を示す図（一）である。
【図９】図９は、本考案は図７に対応する局部拡大を示す図（二）である。
【図１０】図１０は、本考案は引っ張り出されて操作を示す図である。
【図１１】図１１は、本考案は引っ張り出された状態の断面図である。
【図１２】図１２は、本考案は引っ張り出された状態の別の角度の断面図である。
【図１３】図１３は、本考案は引っ張り出された状態の立体図である。
【図１４】図１４は、本考案の収納操作を示す図及び局部拡大を示す図（一）である。
【図１５】図１５は、本考案の収納操作を示す図及び局部拡大を示す図（二）である。
【図１６】図１６は、本考案の収納操作を示す図及び局部拡大を示す図（三）である。
【考案を実施するための形態】
【００１４】
まず、図１、図２、図３を参照されたい。本考案の杖の伸縮構造は、固定管体１０、第一伸縮管２０、第二伸縮管３０と第三伸縮管４０を含む。
【００１５】
該固定管体１０は中空管体であり、また管壁に少なくとも一つの位置決め孔１１が設けられる。該固定管体１０の頂端に杖グリップ１２が組み立てられ、該杖のグリップ１２には管栓部１２１があり、また該管栓部１２１によって該固定管体１０の頂端に固設され、該管栓部１２１の側辺に掛フックリブ板１２２が設けられる。該固定管体１０の末端に固定スリーブ１３が嵌められ、該固定スリーブ１３の内壁面に位置決め突起部１３１が設けられ、該位置決め突起部１３１の底側に斜めガイド面１３２が形成される。
【００１６】
該第一伸縮管２０は下より上へ該固定管体１０内に組み入れられ、該管壁に第一位置限定孔２１と該固定管体１０の位置決め孔１１に対応する第一穿設孔２２とピン挿し込み孔２３が設けられ、また該第一伸縮管２０の頂端は第一管栓２４に組み入れられる。該第一管栓２４の側辺に組み合わせ溝２４１と位置決め溝２４２が形成され、該組み合わせ溝２４１は正方形溝体であり、それに弾性部材２４３に合わせて第一位置決め玉２５と組み立てられる。該第一位置決め玉２５は位置限定部２５１と該位置限定部２５１の前端に位置する位置決め部２５２があり、該位置限定部２５１と該位置決め部２５２はそれぞれ四角柱状に呈し、また該位置限定部２５１の外径は該位置決め部２５２より大きく、また該位置限定部２５１は回転せずこれらの組み合わせ溝２４１内に制限される。該第一位置決め玉２５の位置決め部２５２は第一穿設孔２２より貫き出され、最後は第一挿し込みピン２６を該ピン挿し込み孔２３によって該位置決め溝２４２内に挿し込まれることで、該第一管栓２４が合致固定される。該第一伸縮管２０の末端は第一スリーブ２７が嵌められ、該第一スリーブ２７の内壁面に位置決め突起部２７１が設けられ、また該位置決め突起部２７１の底側に斜めガイド面２７２が形成される。
【００１７】
該第二伸縮管３０は下から上へ該第一伸縮管２０内に組み入れられ、該管壁に第二位置限定孔３１、該第一位置限定孔２１に対応する第二穿設孔３２とピン挿し込み孔３３が設けられる。また該第二伸縮管３０の頂端は第二管栓３４が組み立てられ、該第二管栓３４の側辺に組み合わせ溝３４１と位置決め溝３４２が形成され、該組み合わせ溝３４１は正方形溝体であり、それに弾性部材３４３に合わせて第二位置決め玉３５と組み立てられる。該第二位置決め玉３５は位置限定部３５１と該位置限定部３５１の前端に位置する位置決め部３５２があり、該位置限定部３５１の外径は該位置決め部３５２より大きく、また該位置限定部３５１は該組み合わせ溝３４１に対応して四角柱状に呈すことで、該位置限定部３５１は回転されずこれらの組み合わせ溝３４１内に制限され、また該位置決め部３５２の上端面に円弧面３５３が形成され、下端面に平面３５４が形成される。さらに該第二位置決め玉３５の位置決め部３５２は第二穿設孔３２より貫き出され、最後は第二挿し込みピン３６を該ピン挿し込み孔３３によって該位置決め溝３４２内に挿し込まれることで、該第二管栓３４が合致固定され、また第二伸縮管３０の末端に第二スリーブ３７が嵌められる。
【００１８】
該第三伸縮管４０は下から上へ該第二伸縮管３０内に組み入れられ、該管壁は該第二位置限定孔３１に対応する第三穿設孔４１とピン挿し込み孔４２が設けられる。該第三伸縮管４０の頂端は第三管栓４３が組み立てられ、該第三管栓４３の側辺に組み合わせ溝４３１と位置決め溝４３２が形成され、該組み合わせ溝４３１正方形溝体であり、それに弾性部材４３３に合わせて第三位置決め玉４４と組み立てられる。該第三位置決め玉４４は位置限定部４４１と該位置限定部４４１の前端に位置する位置決め部４４２があり、該位置限定部４４１の外径は該位置決め部４４２より大きく、また該位置限定部４４１は該組み合わせ溝４３１に対応して四角柱状に呈すことで、該位置限定部４４１は回転されずこれらの組み合わせ溝４３１内に制限され、また該位置決め部４４２の上端面に円弧面４４３が形成され、下端面に平面４４４が形成される。さらに該第三位置決め玉４４の位置決め部４４２は第三穿設孔４１より貫き出され、最後は第三挿し込みピン４５を該ピン挿し込み孔４２によって該位置決め溝４３２内に挿し込まれることで、該第三管栓４３が合致固定され、また第三伸縮管４０の末端に当てベース４６が嵌められる。
【００１９】
その構造の組み立ては引き続き図２、図３合わせて図４、図５、図６及び図７、図８を参照されたい。該固定管体１０、第一伸縮管２０、第二伸縮管３０及び第三伸縮管４０は順番にスライドして組み立てられ、ここで、該第三伸縮管４０は先に頂端に該第三管栓４３が組み立てられ、また該第三位置決め玉４４が該第三穿設孔４１の外に設けられ、さらにピン挿し込み孔４２より該第三挿し込みピン４５を挿し込んで、該第三管栓４３を該第三伸縮管４０の頂端に合致固定させることで、該第三伸縮管４０を下より上へ該第二伸縮管３０内に組み入れられ、さらに該第三位置決め玉４４が第二伸縮管３０の内壁による押し込みによって該第三穿設孔４１に内縮される。また該第三伸縮管４０の末端は該第二伸縮管３０の末端の外に突設される。該第二伸縮管３０の頂端は再び該第二管栓３４を組み立て、該第二位置決め玉３５を第二穿設孔３２の外に突設させ、再び該ピン挿し込み孔３３より該第二挿し込みピン３６を挿し込んで、該第二管栓３４を第二伸縮管３０の頂端に合致固定させ、該第二、三伸縮管３０、４０の組み立てを完成させた後、該第二伸縮管３０を再び下より上へ該第一伸縮管２０内に組み入れられる。また該第二位置決め玉３５が該第一伸縮管２０の内壁による押し込みによって該第二穿設孔３２に内縮されると同時に、該第二伸縮管３０の末端は該第一伸縮管２０の末端の外に突設され、この時、再び該第一管栓２４を該第一伸縮管２０の頂端に組み立てさせ、該第一、二伸縮管２０、３０の組み立てを完成させた後、該第一伸縮管２０を下より上へ該固定管体１０内に組み入れられ、また該第一位置決め玉２５は該固定管体１０の内壁による押し込みによって該第一穿設孔２２に内縮される。該第一伸縮管２０の末端は該固定管体１０の末端に突設されることで、順番に該第三、二、一伸縮管４０、３０、２０及び固定管体１０をスライドして嵌め合わせて連結される。該固定管体１０の末端には固定スリーブ１３が嵌められ、該第一伸縮管２０の末端には第一スリーブ２７が嵌められ、該第二伸縮管３０の末端には第二スリーブ３７が嵌められ、第三伸縮管４０の末端には当てベース４６が設けられる。さらにこれらの固定スリーブ１３によって該第一、二、三スリーブ２７、３７、４６が互いに当てて位置限定されることで、第一、二、三伸縮管２０、３０、４０の末端が対応する固定管体１０、第一伸縮管２０と第二伸縮管３０内に内縮されることが防げられる。最後に杖グリップ１２は管栓部１２１によって固定管体１０の頂端に設けさせると、杖構造が完成される。
【００２０】
構造における実際に使用する状態は図９より図１３を参照されたい。使用者が第三伸縮管４０に力を加えて引っ張り出す時、該第三伸縮管４０は制限されないために簡単に引っ張り出せて、引っ張り出す過程において第三位置決め玉４４の位置決め部４４２を第三穿設孔４１より貫き出して第二伸縮管３０の第二位置限定孔３１に合致されて位置決めされる。該第三位置決め玉４４の下端面に平面４４４が形成され、該第二伸縮管３０の第二位置限定孔３１の端縁に確実に当て、該第三伸縮管４０がさらに引っ張り出されて長さの制限を達すことが避けられると同時に、該第三伸縮管４０と該第二伸縮管３０と連結されるため、該第二伸縮管３０が連動されて連れ出され、この時さらに継続的に力を加えて引っ張り出す時、該第二伸縮管３０は第一伸縮管２０に沿って外へ引っ張り出され、引っ張り出す過程において第二位置決め玉３５の位置決め部３５２を第二穿設孔３２より貫き出して第一伸縮管２０の第一位置限定孔２１に合致されて位置決めされる。該第二位置決め玉３５の下端面に平面３５４が形成され、該第一伸縮管２０の第一位置限定孔２１の端縁に確実に当て、該第二伸縮管３０がさらに引っ張り出されて長さの制限に達することが避けられると同時に、該第二伸縮管３０と該第一伸縮管２０と連結されるため、該第一伸縮管２０が連動されて連れ出され、この時さらに継続的に力を加えて引っ張り出す時、該第一伸縮管２０は該固定管体１０より引っ張り出され、引っ張り出す過程において第一位置決め玉２５の位置決め部２５２を第一穿設孔２２より貫き出して固定管体１０の位置決め孔１１に合致固定されることで、順番に該第一、二、三伸縮管２０、３０、４０を引っ張り出して位置決めさせ、使用者が持ち支えることが提供される。該第一位置決め玉２５の位置決め部２５２は四角柱状に呈すため、該固定管体１０の位置決め孔１１と四周辺の当て位置限定が形成され、該第一伸縮管２０がさらに引っ張り出されて長さの制限に達することが避けられ、一方、該固定管体１０は力を加えられて当て支えることで該第一位置決め玉２５を押し込むことが避けられることで、使用時に該第一伸縮管２０は該固定管体１０内に内縮する心配が解消され、構造使用の安全性が大幅に向上される。
【００２１】
反対に、該杖構造は使用後に縮ませて収納したい時、引き続き図１４より図１６を参照されたい。使用者は第三伸縮管４０に力を加えて上へ収納でき、または第三伸縮管４０を地面に着かせて該固定管体１０に力を加えて下へ収納できる。まず、先に第一位置決め玉２５を押して、順番に該位置決め孔１１と該第一穿設孔２２に内縮させ、該第一伸縮管２０と該固定管体１０の間を該第一位置決め玉２５の位置決めより脱離してスライドして収納できる。該第一伸縮管２０が該固定管体１０に内縮する時、同時該第二伸縮管３０を連動して該固定管体１０方向へと位置移動し、この時該第一位置限定孔２１の外に突設される第二位置決め孔３５は徐々に該固定スリーブ１３に接近し、該位置決め部３５２の円弧面３５３によって該固定スリーブ１３の斜めガイド面１３２と位置決め突起部１３１と当てて押さえることを受けて、該第二位置決め玉３５を押し込んで順番に第一位置限定孔２１と第二穿設孔３２に内縮され、該第二伸縮管３０と第一伸縮管２０を第二位置決め玉３５の位置決めより脱離してスライドして収納できると同時に、該位置決め突起部１３１によって該第一位置限定孔２１に嵌められて位置決めされる（図６に示す）。該第二伸縮管３０は該第一伸縮管２０に内縮する時、該第三伸縮管４０は連動されて第一伸縮管２０の方向へと位置移動し、この時、第二位置限定孔３１に突設される第三位置決め玉４４は徐々に該第一スリーブ２７に接近し、また該第一スリーブ２７の斜めガイド面２７２と位置決め突起部２７１によって当てて押さえられることで、該第三位置決め玉４４を押し込んで順番に第二位置限定孔３１と第三穿設孔４１に内縮され、該第三伸縮管４０と該第二伸縮管３０が第三位置決め玉４４の位置決めより脱離して内へ収納される。該位置決め突起部２７１は弾け返した後、第二位置限定孔３１に嵌められて位置決めされることで（図９に示す）、該第一、二、三伸縮管２０、３０、４０が内縮されて収納でき、構造の体積を大幅に減少でき、使用者が収納携帯しやすい。
【００２２】
上述の具体的な実施例の構造によって、以下の効果が得られる。
【００２３】
該杖伸縮構造は伸縮操作する時、第一伸縮管２０の第一位置決め玉２５を押すだけで、該第一伸縮管２０は該固定管体１０に収納できた後、該第二、三伸縮管３０、４０は該第二、三位置決め玉３５、４４によって該固定スリーブ１３と第一スリーブ２７の位置決め突起部１３１、２７１と合わせて設置される。力を加えて収納する時に自動的に第二、三位置決め玉３５、４４が押されて位置決め状態から脱離できることで、順番に該第二、三伸縮管３０、４０が内縮されて収納され、構造が内縮収納する利便性が大幅に向上される。また第一伸縮管２０の第一位置限定孔２１と第二伸縮管３０の第二位置限定孔３１は位置決め突起部１３１、２７１によってロックかつ位置決めされるため、収納かつ位置決めの状態を確実に果たされると同時に緩んで滑り出してしまう状況が避けられる。
反対に、引っ張り出して使用する時、該第一、二、三位置決め玉２５、３５、４４の連結によって、該第一、二、三伸縮管２０、３０、４０は順番に連動されて引っ張り出されるため、便利かつスピーディーに引っ張り出して使用でき、構造使用の利便性が向上され、使用しやすいために実用性も増進される。
【００２４】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２５】
１０        固定管体
１１        位置決め孔
１２        杖グリップ
１２１      管栓部
１２２      掛フックリブ板
１３        固定スリーブ
１３１      位置決め突起部
１３２      斜めガイド面
２０        第一伸縮管
２１        第一位置限定孔
２２        第一穿設孔
２３        ピン挿し込み孔
２４        第一管栓
２４１      組み合わせ溝
２４２      位置決め溝
２４３      弾性部材
２５        第一位置決め玉
２５１      位置限定部
２５２      位置決め部
２６        第一挿し込みピン
２７        第一スリーブ
２７１      位置決め突起部
２７２      斜めガイド面
３０        第二伸縮管
３１        第二位置限定孔
３２        第二穿設孔
３３        ピン挿し込み孔
３４        第二管栓
３４１      組み合わせ溝
３４２      位置決め溝
３４３      弾性部材
３５        第二位置決め玉
３５１      位置限定部
３５２      位置決め部
３５３      円弧面
３５４      平面
３６        第二挿し込みピン
３７        第二スリーブ
４０        第三伸縮管
４１        第三穿設孔
４２        ピン挿し込み孔
４３        第三管栓
４３１      組み合わせ溝
４３２      位置決め溝
４３３      弾性部材
４４        第三位置決め玉
４４１      位置限定部
４４２      位置決め部
４４３      円弧面
４４４      平面
４５        第三挿し込みピン
４６        当てベース
【手続補正２】
【補正対象書類名】実用新案登録請求の範囲
【補正対象項目名】全文
【補正方法】変更
【補正の内容】
【実用新案登録請求の範囲】
【請求項１】
固定管体と、第一伸縮管と、第二伸縮管と、第三伸縮管とを含む杖の伸縮構造であって、
上記固定管体は、中空管体であり、また管壁に少なくとも一つの位置決め孔が設けられ、上記固定管体の頂端に杖グリップが組み立てられ、末端に固定スリーブが嵌められ、上記固定スリーブの内壁面に位置決め突起部が設けられ、上記位置決め突起部の底側に斜めガイド面が形成され、
上記第一伸縮管は、下より上へ上記固定管体内に組み入れられ、上記第一伸縮管の管壁に第一位置限定孔と上記固定管体の位置決め孔に対応する第一穿設孔が設けられ、また上記第一伸縮管の頂端は第一管栓に組み入れられ、上記第一管栓の側辺に組み合わせ溝が形成され、上記組み合わせ溝は弾性部材に合わせて第一位置決め玉と組み立てられ、上記第一位置決め玉の前端に位置決め部があり、さらに上記第一位置決め玉の位置決め部は第一穿設孔より貫き出され、上記第一伸縮管の末端は第一スリーブが嵌められ、上記第一スリーブの内壁面に位置決め突起部が設けられ、また上記位置決め突起部の底側に斜めガイド面が形成され、
上記第二伸縮管は、下から上へ上記第一伸縮管内に組み入れられ、上記第二伸縮管の管壁に第二位置限定孔と上記第一位置限定孔に対応する第二穿設孔が設けられ、また上記第二伸縮管の頂端は第二管栓が組み立てられ、上記第二管栓の側辺に組み合わせ溝が形成され、上記組み合わせ溝は弾性部材に合わせて第二位置決め玉と組み立てられ、上記第二位置決め玉の前端に位置決め部があり、さらに上記第二位置決め玉の位置決め部は第二穿設孔より貫き出され、また上記第二伸縮管の末端は第二スリーブが嵌められ、
上記第三伸縮管は、下から上へ上記第二伸縮管内に組み入れられ、上記第三伸縮管の管壁は上記第二位置限定孔に対応する第三穿設孔が設けられ、また上記第三伸縮管の頂端は第三管栓が組み立てられ、上記第三管栓の側辺に組み合わせ溝が形成され、上記組み合わせ溝は弾性部材に合わせて第三位置決め玉と組み立てられ、上記第三位置決め玉の前端に位置決め部があり、さらに上記第三位置決め玉の位置決め部は第三穿設孔より貫き出され、また上記第三伸縮管の末端は当てベースが嵌められることを特徴とする杖の伸縮構造。
【請求項２】
上記第一位置決め玉と、上記第二位置決め玉と、上記第三位置決め玉とはそれぞれ位置限定部分があり、上記位置限定部分の外径は該位置決め部分より大きいことを特徴とする請求項１の杖の伸縮構造。
【請求項３】
上記第一管栓と、上記第二管栓と、上記第三管栓との組み合わせ溝はそれぞれ正方形溝体が形成され、上記第一位置決め玉と、上記第二位置決め玉と、上記第三位置決め玉との位置限定部分は上記組み合わせ溝に対応して四角柱状が形成されることで、上記第一位置決め玉、第二位置決め玉、第三位置決め玉が回転せずこれらの組み合わせ溝内に制限されることを特徴とする請求項１の杖の伸縮構造。
【請求項４】
上記第二位置決め玉と第三位置決め玉との位置決め部はそれぞれ上端面に円弧面が形成され、下端面に平面が形成されることを特徴とする請求項１の杖の伸縮構造。
【請求項５】
上記第一伸縮管と、上記第二伸縮管と、上記第三伸縮管とはそれぞれピン挿し込み孔が設けられ、上記第一管栓と、上記第二管栓と、上記第三管栓とはそれぞれ上述ピン挿し込み孔に対応して位置決め溝が設けられ、さらに順番に第一挿し込みピンと、第二差し込みピンと、第三挿し込みピンとを上記ピン挿し込み孔によって上記第一管栓と、上記第二管栓と、上記第三管栓との位置決め溝内に挿し込まれることで、上記第一管栓と、上記第二管栓と、上記第三管栓とが合致固定されることを特徴とする請求項１の杖の伸縮構造。
【請求項６】
上記杖のグリップには管栓部があり、また上記管栓部によって上記固定管体の頂端に固設されることを特徴とする請求項１の杖の伸縮構造。
【請求項７】
上記管栓部の側辺に掛フックリブ板が設けられることを特徴とする請求項６の杖の伸縮構造。